(57)【要約】【目的】  車両内に敷かれたあらゆる材質のマットをも洗浄できるようにする。【構成】  マット食い込み手段５、６と、打塵手段８、１１と、ブラッシング手段１３、１４と、絞り手段１５、１６、１７がこの順で配置され、ブラッシング前にマットに散水する第一散水パイプ１８と、絞り手段１５、１６、１７に散水する第二、第三散水パイプ１９、２０とを備えると共に、ゴム製マット洗浄時は全ての散水パイプに通水し、絨毯状マット洗浄時は第三散水パイプ２０にのみ通水する切換手段２２、２３を備えたマット洗浄機。【選択図】  図１
2005193100.tif 000002
【特許請求の範囲】
【請求項１】
上下一対の食い込みローラーからなる食い込み手段と、
上側に、上下揺動自在に設けられた第一マット案内手段、下側に、打塵ローラーとからなる打塵手段と、
上側に、上下揺動自在に設けられた第二マット案内手段、下側に、ブラシローラーとからなるブラッシング手段と、
上下一対のスポンジ製絞りローラー、下側絞りローラーを押圧する剛性押圧ローラーとからなる絞り手段と、がこの順で配置されると共に、
前記打塵ローラーとブラシローラーとの間に配置され、上方に向け水を噴射する第一散水パイプと、
前記上側絞りローラーの上方に配置され、上側絞りローラーに向け水を噴射する第二散水パイプと、
前記下側絞りローラー及び押圧ローラーより後方に配置され、下側絞りローラーに向け水を噴射する第三散水パイプと、
前記各散水パイプ全てに通水するか、第三散水パイプのみに通水するかを切り換える切換手段とで構成されることを特徴とするマット洗浄機。
【請求項２】
前記打塵ローラーは、中心軸と該軸から所定半径離れた円周上に設けた複数の打塵用棒材からなる請求項１記載のマット洗浄機。
【請求項３】
前記絞りローラー及び押圧ローラーは、不使用時、それぞれ非接触状態となる請求項１又は２記載のマット洗浄機。
【発明の詳細な説明】
【技術分野】
【０００１】
本発明は、主として給油所や洗車場などに設置され、自動車用マットを洗浄するためのマット洗浄機に関する。
【背景技術】
【０００２】
マットの材質は、従来の耐久性のみを追求したゴム又は塩ビ製のものから、近年は見栄えの良さや高級感を求めて絨毯状のものが増えてきている。そして、その材質の変化に合わせ、マット洗浄機自体も、散水しながらブラシで洗浄する湿式洗浄機（例えば、特許文献１参照）から、吸水性のある絨毯状のマットに対応するため、水を使わず殴打手段でマットを叩き、付着している塵埃を落とし、仕上がりが乾燥状態となるようにしたもの（例えば、特許文献２参照）や、同様の理由により、吸引機により吸塵する乾式洗浄機（例えば、特許文献３参照）等が見られるようになってきた。更に、全てのマットに対応するため湿式及び乾式の両方の機能を備えた両用洗浄機（例えば、特許文献４参照）も製品化されてきている。
【特許文献１】実開昭５１−０９２９７１号公報
【特許文献２】実開平０２−００４６９４号公報
【特許文献３】実開昭６３−１３０１８８号公報
【特許文献４】特開昭６２−２６６１９０号公報
【発明の開示】
【発明が解決しようとする課題】
【０００３】
ところで、前記特許文献１の洗浄機では絨毯状のマットを洗浄できないことはないが、散水しているため、マットにかなりの水分が残留することになり、そのまま車内に敷いてしまうと、足下が当分の間、濡れた状態となってしまう。このため、洗浄後は車外にて自然乾燥するまで待つ必要があり、絨毯状のマットを使用している車両のオーナーからは敬遠されていた。
【０００４】
よって、絨毯状のマットを使用しているオーナーは、特許文献２、３に示すような仕上がりが乾燥状態となる洗浄機を使用せざるを得なかったのである。しかしなから、実際には、特許文献２、３の洗浄機では、水を一切使用していないため、マット表面にうっすらと白っぽく土埃が残ってしまい、オーナーはあまり綺麗になったことを実感できないのが現状であった。また、逆に特許文献２、３の洗浄機では、水を使用しないため、ゴムや塩ビ製のマットに固着した泥土を落とすことは困難であり、本洗浄機は使用されなかった。
【０００５】
そこで、特許文献４に示すような、全てのマットが一台の洗浄機で洗浄できる洗浄機が開発されたのであるが、確かに、ゴムや塩ビ製のマットには水を使用し、絨毯状のマットには水を使用しないで洗浄を行うので、一見優れているように見えるが、高価な吸引機が必要であり、そのため製品のコストもかなり高価なものとなってしまっていた。また、前述したように、絨毯状のマットを洗浄する時には一切水をしないので、やはり、マット表面にうっすらと白っぽく土埃が残ってしまうという問題も解決されないものであった。
【課題を解決するための手段】
【０００６】
このような課題を解決するために本発明は、
上下一対の食い込みローラーからなる食い込み手段と、
上側に、上下揺動自在に設けられた第一マット案内手段、下側に、打塵ローラーとからなる打塵手段と、
上側に、上下揺動自在に設けられた第二マット案内手段、下側に、ブラシローラーとからなるブラッシング手段と、
上下一対のスポンジ製絞りローラー、下側絞りローラーを押圧する剛性押圧ローラーとからなる絞り手段と、がこの順で配置されると共に、
前記打塵ローラーとブラシローラーとの間に配置され、上方に向け水を噴射する第一散水パイプと、
前記上側絞りローラーの上方に配置され、上側絞りローラーに向け水を噴射する第二散水パイプと、
前記下側絞りローラー及び押圧ローラーより後方に配置され、下側絞りローラーに向け水を噴射する第三散水パイプと、
前記各散水パイプ全てに通水するか、第三散水パイプのみに通水するかを切り換える切換手段とで構成されるマット洗浄機を提供することを要旨とするものである。
【０００７】
また、前記打塵ローラーは、中心軸と該軸から所定半径離れた円周上に設けた複数の打塵用棒材からなるようにするとより好ましい実施は態様となる。
【０００８】
また、前記絞りローラー及び押圧ローラーは、不使用時、それぞれ非接触状態となるようにするとより好ましい実施態様となる。
【発明の効果】
【０００９】
本発明の装置は以上のように構成されるので、どのような材質のマットであっても使用でき、全ての利用者に満足のいく仕上がりを提供できるマット洗浄機である。また、吸引機のような高価な装置を必要としないので、顧客に安価に提供できる。
【実施例】
【００１０】
以下、図面を用いて本発明の一実施例について説明する。図１は本発明の洗浄部の縦断面図であり、各ローラーはチェーンやスプロケット等の駆動部、ローラーの揺動機構等が内蔵されている両側の側部ケース１間に軸支されている。側部ケース１下面にはそれぞれ脚体（図示しない）が取り付けられており、洗浄部が所定高さになるようになっている。
【００１１】
側部ケース間１には板金製の上カバー２、投入台３、水受け４が張設されており、また、各ローラーが前方から、マットを洗浄部内に引き込むためのゴム製の上下食い込みローラー５、６（ローラー同士は常時接触しているが、上側食い込みローラー５のみ、挿入されるマット厚に対応できるよう、図示しないバネにより上下揺動自在となっている。）、バネ（図示しない）により下方へ付勢され、軸７を中心として回動自在に支承された略Ｕ字状に曲折された板金製の第一マット案内手段８、該案内手段８の下方に若干の間隙を有して軸支され、両側の円盤間９に張設された６本の鋼製の棒材１０からなる打塵ローラー１１、同じくバネ（図示しない）により下方へ付勢され、軸１２を中心として回動自在に支承された略Ｕ字状に曲折された板金製の第二マット案内手段１３、該案内手段１３の下方に若干の干渉部を有して軸支され、放射状にナイロンブラシが植設されたブラシローラー１４、スポンジ製の上下絞りローラー１５、、１６（ローラー同士はマット洗浄時のみ接触するようになっており、且つ、上側絞りローラー１５のみ、挿入されるマット厚に対応できるよう図示しないバネにより上下揺動自在となっている。）、洗浄時、下側絞りローラー１６を押圧して余分な水分を絞り出す押圧ローラー１７の順で配置されている。
【００１２】
また、前記打塵ローラー１１とブラシローラー１４との間に配置され、上方に向け水を噴射する第一散水パイプ１８と、前記上側絞りローラー１５の上方に配置され、上側絞りローラー１５に向け水を噴射する第二散水パイプ１９と、前記下側絞りローラー１６及び押圧ローラー１７より後方に配置され、下側絞りローラー１６に向け水を噴射する第三散水パイプと２０、水受け４上部前方に配置され、水受け４に向け水を噴射する第四散水パイプ２１とがそれぞれ側部ケース間１に張設されている。
【００１３】
ここで、各散水パイプから噴射される水の役目を説明すると、第一散水パイプから噴射される水は、洗浄するマットの洗浄面に水を噴射して付着している土埃を軟化させるためであり、第二及び第三散水パイプから噴射される水は、絞りローラーが硬化しないようスポンジに吸水させるためであり、第四の散水パイプから噴射される水は、水受けに落ちる土埃を排水口に導いたり、洗浄部内に土埃が舞い上がらないようにするために設けられたものである。
【００１４】
そして、各散水パイプは、図２に示すように、水道管に接続配管されており、途中に介装されたボールバルブ２２、２３により、通水の切換が行われるようになっている。ところでボールバルブ２２は、モーターをオン・オフして各ローラーを回転・停止させたり、前記上側絞りローラーと押圧ローラーとを下側絞りローラーから離間させたりするための操作レバー（図示しない）の操作と連動して、開・閉されるものであり、また、ボールバルブ２３はマットの種類により、使用者が適宜切換できるものであり、側部ケース外にバルブ２３切換用レバー（図示しない）が延設されている。側板ケース１表面にはバルブ２３切換用レバーの位置により、塩ビ製やゴム製などの水を直接マットに噴射する「ウェット」と、絨毯状のマットなどの水を直接マットには噴射しない「ドライ」の文字が印字されたシールが貼付されており、利用者が適宜選択できるようになっている。
【００１５】
次に、図３、４に基づき、本装置の使用形態を説明する。
【００１６】
図３は塩ビ製やゴム製のマットを洗浄する場合の説明図で、使用者は、まずボールバルブ２３切換用レバーを「ウェット」側にセットし、操作レバーをオンすると、ボールバルブ２２、２３が開となり、水道管より水が全散水パイプに供給され、図３に示す矢印の方向に、全散水パイプから水が噴射される。また同時に、図３に示す矢印の方向に、ローラーの回転が開始されると共に、上側絞りローラー１５及び押圧ローラー１７が下側絞りローラー１６に圧接される。
【００１７】
この状態で使用者は投入台３に沿ってマットの洗浄面を下に向け挿入すると、食い込みローラー５、６によりマットが引き込まれ、まず打塵ローラー１１によりマットが殴打され、マットにこびりついた土埃の一部がほぐされながら水受けに落ちていく。次に第一散水パイプ１８より噴射された水がマットの洗浄面に吹き付けられ、まだ落ち切れてないマットに付着している土埃が水により軟化され、ブラシローラー１４により掻き落とされる。最後に上下絞りローラー１５、１６によりマット表面に付着している水を吸水しながら後方へ排出して洗浄終了となる。この排出後のマットは、下側絞りローラー１６に押圧ローラー１７が押圧されていることにより、下側絞りローラー１６に含まれる水量が従来の湿式マット洗浄機より少なくなっているため、マットの洗浄面に残留する水は少なくなっており、直ぐに車内に敷いても問題ない程度の仕上がりとなるものである。
【００１８】
図４は絨毯状のマットを洗浄する場合の説明図で、使用者は、まずボールバルブ２３切換用レバーを「ドライ」側にセットし、操作レバーをオンすると、ボールバルブ２２が開、２３が閉となり、水道管より水が第三、第四散水パイプ２０、２１に供給され、図４に示す矢印の方向に、第三、第四散水パイプ２０、２１から水が噴射される。また同時に、図４に示す矢印の方向にローラーの回転が開始される共に、上側絞りローラー１５及び押圧ローラー１７が下側絞りローラー１６に圧接される。
【００１９】
この状態で使用者は投入台３に沿ってマットの洗浄面を下に向け挿入すると、食い込みローラー５、６によりマットが引き込まれ、まず打塵ローラー１１によりマットが殴打され、マット内部に入り込んだ土埃がマットより浮かされて水受けに落ちていく。次にまだ落ち切れていないマット表面に付着している細かい塵埃がブラシローラー１４により掻き落とされる。最後に下側絞りローラー１６に含まれる水がマット表面を若干湿らせながら後方へ排出して洗浄終了となる。この排出後のマットは、途中直接水が噴射されることがないこと、及び下側絞りロール１６のみ水が噴射され、その吸水される水も押圧ローラー１７により殆ど絞り取られていることにより、直ぐに車内に敷いてもまったく問題ない程度に湿らされ、この湿りにより打塵後のマット表面のうっすらと白っぽく残る土埃が全く目立たない仕上がりとなるものである。
【００２０】
尚、本実施例では散水パイプ切換用のバルブを手動式のボールバルブとしたが、制御手段により制御される電磁弁としてもよく、また、第一、第二マット案内手段を板金としたが、それに代わるローラー状のものとしてもよい。
【図面の簡単な説明】
【００２１】
【図１】本発明の一実施例である洗浄部の縦断面図である。
【図２】本発明の一実施例であるマット洗浄機における散水パイプの配管図である。
【図３】本発明の一実施例であるマット洗浄機におけるウェット洗浄時の説明図である。
【図４】本発明の一実施例であるマット洗浄機におけるドライ洗浄時の説明図である。
【符号の説明】
【００２２】
５        上側食い込みローラー
６        下側食い込みローラー
８        第一マット案内手段
１１        打塵ローラー
１３        第二マット案内手段
１４        ブラシローラー
１５        上側絞りローラー
１６        下側絞りローラー
１７        押圧ローラー
１８        第一散水パイプ
１９        第二散水パイプ
２０        第三散水パイプ
２２、２３  ボールバルブ
【図１】
2005193100.tif 000003
【図２】
2005193100.tif 000004
【図３】
2005193100.tif 000005
【図４】
2005193100.tif 000006